(57)【要約】【課題】    風車や水車のように自然条件によって稼働率が左右されない又排気ガス等で地球の環境を悪くしない自動回転機を提供する。【解決手段】  錘を円盤の裏表に腕金具（Ｂ）先端に１個づつ取り付け、腕金具（Ａ）と組合せる。又腕金具（Ａ）の中芯に成る方に歯車を固定取り付けし、円盤に組込むこれを３組、図１の様に筒状に組み立て回転するようにする。錘を移動させる方法は２通り【選択図】図１
2016017519.tif 000002
【特許請求の範囲】
【請求項１】
錘２を腕金具３（Ｂ）に固定する。腕金具３（Ａ）には歯車を固定取り付け腕金具３（Ａ）（Ｂ）を組合わせ円盤１に裏表９０度に成る様取り付けるこれを３組筒状に成るよう組み立てた、（図１）回転機
【請求項２】
錘２を移動させる方法２通り
金具式  腕金具３に移動用金具５を取り付け金具５がピン８にあたり錘を移動させる
ワイヤ−式方法  歯車リ−ルが平ギヤ−により回り出すとリ−ルに付けたワイヤ−を巻始め腕金具を引き錘を移動させる
【発明の詳細な説明】
【技術分野】
【０００１】本発明は、、自然の力（重量）を利用して回転する装置に関する
【背景技術】
【０００２】自然の力を利用して回転する装置としては、従来、風力を利用した風車や水力を利用した水車があり、又最近では太陽光を利用した太陽光発電機の設置も盛んである。
【発明の概要】
【発明が解決しようとする課題】
【０００３】風車、水車、太陽光発電機、これらの装置は気候や設置場所の外部要因で稼働率が大きく左右される。一方で発電の中心となる火力発電は大量の排気ガスを出すため、地球の環境の悪化が懸念される。
又石炭や重油等の化石燃料は有限であり、代替えエネルギ−への転換が国際規模で求められている。
【課題を解決するための手段】
【０００４】物体が地球の引力により下に落ちる力を、利用する事を目的とする
【発明の効果】
【０００５】公害が大変少ない【０００６】高級材料が少ないので製作が、低価額で出来る【０００７】水、風、燃料、天気等関係無いので設置場所が選び易い
【図面の簡単な説明】
【０００８】
【図１】円盤３組の組合せ図（回転装置）全体図
【図２】１組の円盤の正面図
【図３】ストッパ−の部分
【図４】リ−ル、ワイ−で錘を移動する円盤図
【発明を実施するための形態】
【０００９】以下、本発明の形態を図１〜図２に基づいて説明する。
【００１０】円盤１に錘２を４個裏と表に２個づつ腕金具３（Ｂ）の先端に１個づつ取り付け、腕金具３（Ａ）と組合せる。
【００１１】腕金具３（Ａ）には１円盤の中芯になる方に歯車４を取り付ける。又錘２を移動させる為の金具５を取り付ける
【００１２】腕金具３（Ｂ）には中央にピンロ−ラが通る様、長穴を開ける
【００１３】この円盤１、３組を円盤継ぎ金具７で、全体が筒状に成るよう組立又３組の円盤１は芯から３０度づつ、ずらして組み立てる。
【００１４】円盤１が回転しＡ地点に金具５が来てピン８に接触し金具５で腕金具３（Ａ）（Ｂ）を動かし錘２を移動させる。と同時に腕金具３（Ａ）の歯車４で相手の歯車を回し相手の錘２を円盤１の中心の方に移動させる。
【００１５】錘２の移動方法は２通り有りもう１つは図３図４の様に、平ギヤ−１１と歯車付リ−ル１２を使用してワイヤ−１４で腕金具３（Ａ）（Ｂ）を引き錘２を移動させる。
【００１６】円盤１が回転しＢ地点に来ると平ギヤ−と歯車付リ−ルと噛み合いワイヤ−１４を巻上げ、腕金具３（Ａ）（Ｂ）を引き錘２を移動させる。
Ｃ地点で終わり、ストッパ−で錘２を固定する
【００１７】固定された錘２は回転し下方のＤ地点に来るとストッパ−は自重で固定を解除する
【００１８】この一連の動きを繰り返し回転を継続することが出来る。
【００１９】この自動回転機を利用して発電機等の源動力にしたい。
【符号の説明】
【００２０】１    円盤
２    錘
３    腕金具（Ａ）（Ｂ）
４    歯車
５    腕金具を動かす金具
６    ストッパ−
７    円盤の繋ぎ金具
８    錘の移動始めの金具ピン
９    回転機の全体支柱
１０  ８金具の支柱
１１  平ギヤ−
１２  歯車付リ−ル
１３  １２歯車付リ−ルの取り付け金具
１４  ワイヤ−
【図１】
2016017519.tif 000003
【図２】
2016017519.tif 000004
【図３】
2016017519.tif 000005
【図４】
2016017519.tif 000006
【手続補正書】
【提出日】平成27年5月20日(2015.5.20)
【手続補正１】
【補正対象書類名】明細書
【補正対象項目名】００１０
【補正方法】変更
【補正の内容】
【００１０】円盤１に錘２を４個円盤１のＡ面（表）とＢ面（裏）に腕金具３（Ｂ）の先端に１個づつ取り付け腕金具（Ａ）と自由に屈折出来る様に組合わせる。
【手続補正２】
【補正対象書類名】明細書
【補正対象項目名】００１１
【補正方法】変更
【補正の内容】
【００１１】腕金具３（Ａ）には円盤１の中芯になる方に歯車４を相手の腕金具３（Ａ）の歯車４と１５０度の差で円盤１に取り付ける。
【手続補正３】
【補正対象書類名】明細書
【補正対象項目名】００１２
【補正方法】変更
【補正の内容】
【００１２】腕金具３（Ｂ）には中央にピンローラ１６が通る様長穴を開ける。
【手続補正４】
【補正対象書類名】明細書
【補正対象項目名】００１３
【補正方法】変更
【補正の内容】
【００１３】錘２を移動させる為の平金具５を取り付ける。図５図６
【手続補正５】
【補正対象書類名】明細書
【補正対象項目名】００１４
【補正方法】変更
【補正の内容】
【００１４】円盤１が回転しＡ地点に平金具５が来てピン８に接触し金具５で腕金具（Ａ）（Ｂ）を動かし、相手の錘２を円盤１の中芯の方に移動させる。
腕金具３を動かす平金具５にコの字に切り込みを入れる。
腕金具３を動かす平金具５がＡ地点に来て錘２移動始めの金具ピンに当り円盤１が３０度回ると円盤１の芯と腕金具３（Ａ）の動く支点が違うので金具ピン８と平金具５の接点が少し変わる、そこの所にコの字に切り込みを入れて金具ピンを通かさせる。
【手続補正６】
【補正対象書類名】明細書
【補正対象項目名】００１５
【補正方法】変更
【補正の内容】
【００１５】錘２の移動方法は２通り有り、もう１つは腕金具３（Ａ）の左側に金具１５で腕金具３（Ａ）と腕金具を動かす金具５と組繋ぐ。図７
【手続補正７】
【補正対象書類名】特許請求の範囲
【補正対象項目名】全文
【補正方法】変更
【補正の内容】
【特許請求の範囲】
【請求項１】
円盤に腕金具をＡ面（表）Ｂ面（裏）に取り付け腕金具の先端に錘を付け錘を移動させる為、腕金具３（Ａ）に腕金具を動かす金具を付ける。この金具が、錘移動始めのピンに当り錘が移動し円盤が回転する自動回転機
【請求項２】
腕金具を動かす金具を腕金具Ａの歯車の軸と同じ所に付け腕金具（Ａ）（Ｂ）つなぐ要の所から別の金具で腕金具を動かす金具とつないで、錘移動始めのピンに当り錘が移動して円盤が回転する、自動回転機  図７
【手続補正８】
【補正対象書類名】図面
【補正対象項目名】図５
【補正方法】追加
【補正の内容】
【図５】
2016017519.tif 000007
【手続補正９】
【補正対象書類名】図面
【補正対象項目名】図６
【補正方法】追加
【補正の内容】
【図６】
2016017519.tif 000008
【手続補正１０】
【補正対象書類名】図面
【補正対象項目名】図７
【補正方法】追加
【補正の内容】
【図７】
2016017519.tif 000009
【手続補正書】
【提出日】平成27年8月7日(2015.8.7)
【手続補正１】
【補正対象書類名】手続補正書
【補正対象項目名】手続補正１１
【補正方法】追加
【補正の内容】
【手続補正１１】
【補正対象書類名】明細書
【補正対象項目名】０００８
【補正方法】変更
【補正の内容】
【０００８】
【図１】円盤３組の組合せ図（回転装置）全体図。
【図２】１組の円盤の正面図。
【図３】ストッパ−の部分。
【図４】リ−ル、ワイヤ−で錘を移動する円盤図。
【図５】腕金具又錘を動かす金具部分の全体図。
【図６】図３ストッパ−部分と図４の１４ワイヤ−で錘を動かす装置を外した円盤の正面図。図２と同じ
【図７】手続補正書［補正対象書類名］明細書［補正対象項目名］［００１５］項目の円盤の正面図。